(57)【要約】【課題】ユーザが意図した画質調整の制御を行うのが容易な表示装置および表示システムを提供する。【解決手段】表示部１１と、映像の画質調整の制御を行うＣＰＵ１０とを備え、ＣＰＵ１０は、映像の特徴を分析して分析結果を取得し、分析結果に基づいて、表示部１１に画質調整の項目に加えて画質調整の項目の利点および欠点を表示する制御を行うように構成されている。【選択図】図５
2015076779.tif 000002
【特許請求の範囲】
【請求項１】
映像を表示する表示部と、
前記表示部に表示される映像の画質調整の制御を行う制御部とを備え、
前記制御部は、映像の特徴を分析して分析結果を取得し、前記分析結果に基づいて、前記表示部に画質調整の項目に加えて前記画質調整の項目の利点および欠点を表示する制御を行うように構成されている、表示装置。
【請求項２】
前記制御部は、録画中の映像、または、すでに録画された映像の特徴を分析して分析結果を取得し、前記分析結果に基づいて、前記複数の画質調整の項目のうち、前記画質調整するのが好ましい少なくとも１つの前記画質調整の項目を選択して、選択した前記画質調整の項目の利点および欠点を前記表示部に表示する制御を行うように構成されている、請求項１に記載の表示装置。
【請求項３】
前記画質調整の項目は、複数の画質調整の項目を含み、
前記制御部は、映像の特徴を分析して分析結果を取得し、前記分析結果に基づいて、前記複数の画質調整の項目のうち、前記画質調整するのが好ましい少なくとも１つの前記画質調整の項目を選択して、選択した前記画質調整の項目の利点および欠点を前記表示部に表示する制御を行うように構成されている、請求項１または２に記載の表示装置。
【請求項４】
前記制御部は、ユーザの操作に基づいて、前記画質調整を行う画質調整モードに移行して、前記画質調整モードにおいて、前記表示部に、前記画質調整の項目と、前記画質調整の項目の利点および欠点とを表示するとともに、表示された前記画質調整の項目に対するユーザの操作に基づいて、前記画質調整の制御を行うように構成されている、請求項１〜３のいずれか１項に記載の表示装置。
【請求項５】
前記制御部は、前記画質調整モードにおいて、前記表示部に、すでに録画された映像のコンテンツを表示するとともに、表示された前記映像のコンテンツに対する、ユーザの選択操作に基づいて、前記録画された映像の特徴を分析して分析結果を取得する制御を行うように構成されている、請求項４に記載の表示装置。
【請求項６】
前記制御部は、録画された映像を前記表示部に再生表示する時に、前記分析結果に基づいた前記画質調整の項目と前記画質調整の項目の利点および欠点とを前記表示部に表示するか否かの問い合わせを表示する制御を行うように構成されている、請求項１〜５のいずれか１項に記載の表示装置。
【請求項７】
外部のネットワークとの通信を行う通信部をさらに備え、
前記制御部は、前記分析結果に基づいて、前記利点および前記欠点を前記表示部に表示するとともに、ユーザの操作に基づいて、前記通信部を介して、前記外部のネットワークから前記利点および前記欠点に関するより詳細な情報を取得して、前記表示部に前記詳細な情報を表示する制御を行うように構成されている、請求項１〜６のいずれか１項に記載の表示装置。
【請求項８】
前記制御部は、外部映像記憶装置に録画中の映像の特徴を分析して分析結果を取得し、前記分析結果に基づいて、前記表示部に前記画質調整の項目を表示するとともに、前記画質調整の項目の利点および欠点を前記表示部に表示する制御を行うように構成されている、請求項１〜７のいずれか１項に記載の表示装置。
【請求項９】
映像を表示する表示部と、前記表示部に表示される映像の画質調整の制御を行うように構成されている制御部とを含む、表示装置と、
前記表示部に表示される映像を録画再生する録画再生装置とを備え、
前記制御部は、映像の特徴を分析して分析結果を取得し、前記分析結果に基づいて、前記表示部に画質調整の項目に加えて前記画質調整の項目の利点および欠点を表示する制御を行うように構成されている、表示システム。
【発明の詳細な説明】
【技術分野】
【０００１】
この発明は、表示装置および表示システムに関し、特に、映像の画質調整の制御を行う表示装置および表示システムに関する。
【背景技術】
【０００２】
従来、映像の画質調整の制御を行う表示装置および表示システムなどが知られている（たとえば、特許文献１参照）。
【０００３】
上記特許文献１には、画像出力部（表示部）と、入力信号を対応する出力信号に変換（画質調整の制御）を行うように構成されているプロセッサ（制御部）とを備えた放送受信装置（表示装置）が開示されている。この放送受信装置では、基準となる画像のパラメータを基準パラメータとし、基準パラメータによる画像に対して新たに提案された画像のパラメータを提案パラメータとして、その両パラメータに沿った画質の画像がユーザに提示され、ユーザは、その両パラメータに基づく画像について、何れの画像の画質が好みであるかを入力するように構成されている。
【先行技術文献】
【特許文献】
【０００４】
【特許文献１】特開２００８−２２７６６５号公報
【発明の概要】
【発明が解決しようとする課題】
【０００５】
しかしながら、上記特許文献１に記載された放送受信装置では、ユーザによって、パラメータ（画質調整の項目）を個々に調整して画質調整することができないという不都合がある。その一方、ユーザによってパラメータを個々に調整することができる場合には、パラメータの設定による効果は、ユーザにとって理解が困難である場合が多いため、ユーザにとって意図した画質調整の制御のためのパラメータの選択および設定が困難であると考えられる。その結果、ユーザが意図した画質調整の制御を行うことが困難であるという問題点があると考えられる。
【０００６】
この発明は、上記のような課題を解決するためになされたものであり、この発明の１つの目的は、ユーザが意図した画質調整の制御を容易に行うことが可能な表示装置および表示システムを提供することである。
【課題を解決するための手段】
【０００７】
上記目的を達成するために、この発明の第１の局面による表示装置は、映像を表示する表示部と、表示部に表示される映像の画質調整の制御を行う制御部とを備え、制御部は、映像の特徴を分析して分析結果を取得し、分析結果に基づいて、表示部に画質調整の項目に加えて画質調整の項目の利点および欠点を表示する制御を行うように構成されている。
【０００８】
この発明の第１の局面による表示装置では、上記のように、制御部は、映像の特徴を分析して分析結果を取得し、分析結果に基づいて、表示部に画質調整の項目に加えて画質調整の項目の利点および欠点を表示する制御を行うように構成することによって、ユーザは、分析結果に基づいた画質調整の項目の利点および欠点を認識することができる。そして、利点および欠点を認識したユーザの操作に基づいて、画質調整の項目が設定されるので、ユーザが意図した画質調整の制御を容易に行うことができる。
【０００９】
また、第１の局面による表示装置では、上記のように、制御部は、録画中の映像、または、すでに録画された映像の特徴を分析して分析結果を取得し、分析結果に基づいて、複数の画質調整の項目のうち、画質調整するのが好ましい少なくとも１つの画質調整の項目を選択して、選択した画質調整の項目の利点および欠点を表示部に表示する制御を行うように構成されている。このように構成すれば、録画中の映像の特徴を分析して分析結果を取得する場合、映像の録画後、直ちに、ユーザの操作に基づいて、画質調整をすることができる。また、すでに録画された映像の特徴を分析して分析結果を取得する場合、すでに録画された映像のうち、ユーザの嗜好に合致した映像について分析することができるので、ユーザがより意図した画質調整の制御を行うことができる。
【００１０】
また、第１の局面による表示装置では、上記のように、画質調整の項目は、複数の画質調整の項目を含み、制御部は、映像の特徴を分析して分析結果を取得し、分析結果に基づいて、複数の画質調整の項目のうち、画質調整するのが好ましい少なくとも１つの画質調整の項目を選択して、選択した画質調整の項目の利点および欠点を表示部に表示する制御を行うように構成されている。このように構成すれば、複数の画質調整の項目の中から、ユーザが画質調整の項目を選択する手間を省くことができるので、ユーザによる操作を簡略化することができる。
【００１１】
上記第１の局面による表示装置において、好ましくは、制御部は、ユーザの操作に基づいて、画質調整を行う画質調整モードに移行して、画質調整モードにおいて、表示部に、画質調整の項目と、画質調整の項目の利点および欠点とを表示するとともに、表示された画質調整の項目に対するユーザの操作に基づいて、画質調整の制御を行うように構成されている。このように構成すれば、ユーザが画質を調整したい任意の時に操作を行うことにより、画質調整モードに移行することができるので、利便性の高い画質調整の設定を行うことができる表示装置を提供することができる。
【００１２】
この場合、好ましくは、制御部は、画質調整モードにおいて、表示部に、すでに録画された映像のコンテンツを表示するとともに、表示された前記映像のコンテンツに対する、ユーザの選択操作に基づいて、録画された映像の特徴を分析して分析結果を取得する制御を行うように構成されている。このように構成すれば、すでに録画された映像のコンテンツのうち、ユーザの嗜好に合致した映像について分析することができるので、ユーザがより意図した画質調整の制御を行うことができる。
【００１３】
上記第１の局面による表示装置において、好ましくは、制御部は、録画された映像を表示部に再生表示する時に、分析結果に基づいた画質調整の項目と画質調整の項目の利点および欠点とを表示部に表示するか否かの問い合わせを表示する制御を行うように構成されている。このように構成すれば、録画された映像を表示部に再生表示する以前に、画質調整がされていない場合でも、再生表示するタイミングでユーザの操作に基づいて、ユーザが意図した画質調整の制御を行うことができる。
【００１４】
上記第１の局面による表示装置において、好ましくは、外部のネットワークとの通信を行う通信部をさらに備え、制御部は、分析結果に基づいて、利点および欠点を表示部に表示するとともに、ユーザの操作に基づいて、通信部を介して、外部のネットワークから利点および欠点に関するより詳細な情報を取得して、表示部に詳細な情報を表示する制御を行うように構成されている。このように構成すれば、外部のネットワークから利点および欠点に関するより詳細な情報を取得することができるので、より正確に、ユーザが意図した画質調整の制御を行うことができる。
【００１５】
上記第１の局面による表示装置において、好ましくは、制御部は、外部映像記憶装置に録画中の映像の特徴を分析して分析結果を取得し、分析結果に基づいて、表示部に画質調整の項目を表示するとともに、画質調整の項目の利点および欠点を表示部に表示する制御を行うように構成されている。このように構成すれば、外部映像記憶装置へ録画中に映像の特徴を分析して分析結果を取得するので、映像の録画後、直ちに、ユーザの操作に基づいて、画質調整をすることができる。
【００１６】
上記第２の局面による表示システムは、映像を表示する表示部と、表示部に表示される映像の画質調整の制御を行うように構成されている制御部とを含む、表示装置と、表示部に表示される映像を録画する録画再生装置とを備え、制御部は、映像の特徴を分析して分析結果を取得し、分析結果に基づいて、表示部に画質調整の項目に加えて画質調整の項目の利点および欠点を表示する制御を行うように構成されている。なお、録画再生装置に録画再生される映像とは、録画再生装置で再生可能な外部のブルーレイディスク等に記録された映像を含む。
【００１７】
上記第２の局面による表示システムでは、上記のように、制御部は、映像の特徴を分析して分析結果を取得し、分析結果に基づいて、表示部に画質調整の項目に加えて画質調整の項目の利点および欠点を表示する制御を行うように構成されている。これにより、ユーザは、分析結果に基づいた画質調整の項目の利点および欠点を認識することができる。そして、利点および欠点を認識したユーザの操作に基づいて、画質調整の項目が設定されるので、ユーザが意図した画質調整の制御を容易に行うことができる。
【発明の効果】
【００１８】
本発明によれば、上記のように、ユーザが意図した画質調整の制御を容易に行うのが可能な表示装置および表示システムを提供することができる。
【図面の簡単な説明】
【００１９】
【図１】本発明の第１〜第３実施形態による表示システムの制御構成を示したブロック図である。
【図２】本発明の第１実施形態による録画コンテンツ一覧を説明するための図である。
【図３】本発明の第１実施形態による分析対象期間設定画面を説明するための図である。
【図４】本発明の第１実施形態による特徴分析画面を説明するための図である。
【図５】本発明の第１実施形態による特徴分析結果一覧を説明するための図である。
【図６】本発明の第１実施形態による画質調整画面を説明するための図である。
【図７】本発明の第１実施形態による画質調整モード終了画面を説明するための図である。
【図８】本発明の第１実施形態による表示システムにおいて、画質調整処理フローを示した図である。
【図９】本発明の第１実施形態による表示システムにおいて、画質調整処理フローを示した図である。
【図１０】本発明の第１実施形態による表示システムにおいて、画質調整処理フローを示した図である。
【図１１】本発明の第２実施形態による表示システムにおいて、録画処理フローを示した図である。
【図１２】本発明の第２実施形態による表示システムにおいて、画質調整処理フローを示した図である。
【図１３】本発明の第２実施形態による表示システムにおいて、画質調整処理フローを示した図である。
【図１４】本発明の第２実施形態による画質調整モードの問い合わせの画面を説明するための図である。
【図１５】本発明の第３実施形態による表示システムにおいて、画質調整処理フローを示した図である。
【図１６】本発明の第３実施形態による表示システムにおいて、画質調整処理フローを示した図である。
【図１７】本発明の第４実施形態による特徴分析画面を説明するための図である。
【図１８】本発明の第４実施形態による表示システムにおいて、画質調整処理フローを示した図である。
【図１９】本発明の第４実施形態による表示システムにおいて、画質調整処理フローを示した図である。
【図２０】本発明の第１実施形態による画質調整画面の変形例を示した図である。
【発明を実施するための形態】
【００２０】
以下、本発明の実施形態を図面に基づいて説明する。
【００２１】
（第１実施形態）
まず、図１〜図７を参照して、本発明の第１実施形態による表示システム１００の構造について説明する。
【００２２】
本発明の第１実施形態による表示システム１００は、図１に示すように、テレビジョン装置１とブルーレイディスクレコーダ２とを備えている。また、テレビジョン装置１とブルーレイディスクレコーダ２とは、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）規格に対応した接続ケーブル３によって互いに接続されている。なお、テレビジョン装置１は、本発明の「表示装置」の一例である。また、ブルーレイディスクレコーダ２は、本発明の「録画再生装置」および「外部映像記憶装置」の一例である。
【００２３】
そして、アンテナ１５を介してテレビジョン装置１に受信された映像を、接続ケーブル３を介してブルーレイディスクレコーダ２に送信するように構成されている。ブルーレイディスクレコーダ２で再生するブルーレイディスクまたはＤＶＤ（Ｄｉｇｉｔａｌ  Ｖｅｒｓａｔｉｌｅ  Ｄｉｓｃ）などの記憶媒体に記憶されたコンテンツは、接続ケーブル３を介してテレビジョン装置１に対して出力されるように構成されている。また、ブルーレイディスクレコーダ２内に録画されたコンテンツも同様に、接続ケーブル３を介してテレビジョン装置１に対して出力されるように構成されている。そして、テレビジョン装置１には操作用のリモコン４が付属されている。また、テレビジョン装置１は、インターネット５と通信するように構成されている。なお、インターネット５は、本発明の「外部のネットワーク」の一例である。
【００２４】
第１実施形態では、図１に示すように、テレビジョン装置１は、映像を表示する表示部１１と、表示部１１に表示される映像の画質調整の制御を行うように構成されているＣＰＵ（Ｃｅｎｔｒａｌ  Ｐｒｏｃｅｓｓｉｎｇ  Ｕｎｉｔ）１０とを含む。そして、テレビジョン装置１は、フラッシュメモリ（ＲＯＭ）１２と、接続ケーブル３が接続されるＨＤＭＩ（登録商標）端子１３と、操作信号受信部１４と、アンテナ１５を介して放送信号を受信する放送受信部１６と、インターネット５との通信を行う通信部１７とを備えている。なお、ＣＰＵ１０は、本発明の「制御部」の一例である。
【００２５】
また、第１実施形態では、ブルーレイディスクレコーダ２は、表示部１１に表示される映像を録画するように構成されている。
【００２６】
操作信号受信部１４は、テレビジョン装置１に付属するリモコン４からの制御信号を受信する機能を有している。
【００２７】
ＣＰＵ１０は、制御プログラムを実行することによりテレビジョン装置１全体の動作制御を行う役割を有している。また、フラッシュメモリ１２には、ＣＰＵ１０が実行する制御プログラムなどが格納されている。
【００２８】
ここで、第１実施形態では、ＣＰＵ１０は、ユーザの操作に基づいて、画質調整を行う画質調整モードに移行する制御を行うように構成されている。具体的には、ＣＰＵ１０は、ユーザによるリモコン４の操作によって、リモコン４から送信された画質調整モードに移行させるための操作信号を操作信号受信部１４により受信した時、画質調整モードに移行するとともに、後述する「録画コンテンツ一覧」を表示部１１に表示する制御を行うように構成されている。また、以下の説明において、「ユーザのリモコン４の操作によって」とは、上記のユーザによるリモコン４の操作によって、ユーザがリモコン４から操作信号を送信させ、操作信号受信部１４へ受信させることを意味する。なお、「録画コンテンツ一覧」は、本発明の「映像のコンテンツ」の一例である。
【００２９】
そして、図１に示すように、ＣＰＵ１０は、ブルーレイディスクレコーダ２に録画されている録画コンテンツを、ＨＤＭＩ（登録商標）端子１３を介してブルーレイディスクレコーダ２から受信する制御を行うように構成されている。
【００３０】
そして、第１実施形態では、ＣＰＵ１０は、画質調整モードにおいて、表示部１１に録画コンテンツ一覧を表示する制御を行うように構成されている。具体的には、図２に示すように、ＣＰＵ１０は、受信した１つまたは複数の録画コンテンツを表示部１１に、録画日時と、録画コンテンツ題名と、録画時間等とともに録画コンテンツ一覧として表示する制御を行うように構成されている。また、ＣＰＵ１０は、表示部１１の上部に操作方法を説明する文章を表示する制御を行うように構成されている。たとえば、「特徴分析したいコンテンツを上下ボタンで選択後、ＯＫボタンを押してください。」（図２参照）という説明を表示する。
【００３１】
そして、第１実施形態では、ＣＰＵ１０は、画質調整モードにおいて、表示された録画コンテンツ一覧に対する、ユーザの選択操作に基づいて、録画された映像の特徴を分析して分析結果を取得する制御を行うように構成されている。具体的には、ＣＰＵ１０は、「録画コンテンツ一覧」（図２参照）が表示部１１に表示中に、ユーザのリモコン４の操作によって、１つの録画コンテンツが選択された時、選択された録画コンテンツに対応する「分析対象期間設定画面」（図３参照）を表示部１１に表示する制御を行うように構成されている。
【００３２】
次に、図３に示すように、「分析対象期間設定画面」では、表示部１１の上部に操作方法を説明する文章が表示されるとともに、選択された録画コンテンツの情報と、分析対象期間スタート時の映像（図３中央左側参照）と、分析対象期間エンド時の映像（図３中央右側参照）とが表示される。また、ＣＰＵ１０は、表示部１１に、映像とは別に、分析対象期間スタート時と、分析対象期間エンド時とを、ユーザのリモコン４の操作によって選択可能に構成された時間軸を表示する制御を行うように構成されている。そして、ＣＰＵ１０は、ユーザのリモコン４の操作によって、表示部１１上に表示されている「分析実行」ボタン等を選択されることによって、表示部１１に「特徴分析画面」（図４参照）を表示する制御を行うように構成されている。
【００３３】
そして、図４に示すように、「特徴分析画面」では、表示部１１に分析中の映像が再生表示されるとともに、分析対象期間スタート時と分析対象期間エンド時とを含む時間軸が表示されるように構成されている。そして、ＣＰＵ１０は、映像の特徴の分析が終了した後、表示部１１に「特徴分析結果一覧」（図５参照）を表示する制御を行うように構成されている。また、ＣＰＵ１０は、ユーザのリモコン４の操作によって、表示部１１上に表示されている「分析対象期間変更」ボタンを選択されることによって、表示部１１に「分析対象期間設定画面」（図３参照）を表示する制御を行うように構成されている。
【００３４】
ここで、映像の特徴の分析とは、たとえば、映像の黒色の部分が正しく黒色にならず明るく表示される「黒浮き」を検出する「黒浮き検出」、映画用の映像としての特徴を検出する「映画コンテンツの検出」、ランダムノイズの量を検出する「ランダムノイズの検出」、ＭＰＥＧ規格の形式で圧縮保存された映像データに生じるノイズを検出する「ＭＰＥＧ圧縮ノイズ検出」、映像中の物体の動きの量を検出する「動き量検出」などを行うことによって、映像の特徴を取得する。
【００３５】
そして、第１実施形態では、ＣＰＵ１０は、取得した映像の特徴の分析結果に基づいて、複数の画質調整の項目のうち、画質調整するのが好ましい少なくとも１つの画質調整の項目を選択して、選択した画質調整の項目の利点および欠点を表示部１１に表示する制御を行うように構成されている。たとえば、上記「黒浮き検出」が基準値よりも多く検出された場合、ＣＰＵ１０は、画質調整の項目のうち、「ブラックストレッチ」を選択し、フラッシュメモリ１２に記憶されている「ブラックストレッチ」の調整に関して「現在の設定値」に基づいた利点および欠点を表示部１１する制御を行うように構成されている。
【００３６】
図５に示すように、ＣＰＵ１０は、ユーザによって選択された録画コンテンツの映像の分析が終了後、表示部１１に「特徴分析結果一覧」を表示する制御を行うように構成されている。ＣＰＵ１０は、「特徴分析結果一覧」において、表示部１１の上部に、操作方法を説明する文章を表示する制御を行うように構成されている。また、ＣＰＵ１０は、表示部１１に、特徴分析結果の項目ごとに、それぞれ画質調整するのが好ましい画質調整の項目を、ユーザのリモコン４の操作によって、選択可能に表示する制御を行うように構成されている。また、画質調整するのが好ましい画質調整の項目の現在の設定の状態（画質調整値）を表示する制御を行うように構成されている。
【００３７】
ここで、第１実施形態では、図１に示すように、インターネット５との通信を行う通信部１７をさらに備え、ＣＰＵ１０は、分析結果に基づいて、利点および欠点を表示部１１に表示するとともに、ユーザの操作に基づいて、通信部１７を介して、インターネット５から利点および欠点に関するより詳細な情報を取得して、表示部１１に詳細な情報を表示する制御を行うように構成されている。具体的には、ＣＰＵ１０は、「特徴分析結果一覧」（図５参照）において、表示部１１に、画質調整するのが好ましい画質調整の項目に対応した利点および欠点とともに、ユーザの選択操作によって、画質調整の項目に対してより詳しいインターネット５上の情報に接続可能に構成されている「ＵＲＬ（Ｕｎｉｆｏｒｍ  Ｒｅｓｏｕｒｃｅ  Ｌｏｃａｔｏｒ）」を表示する制御を行うように構成されている。画質調整の項目に対してより詳しいインターネット５上の情報とは、たとえば、テレビジョン装置１の製造メーカホームページ等である。そして、ユーザの選択操作によって、「ＵＲＬ」が選択されると、通信部１７を介して、画質調整の項目に対してより詳しいインターネット５上の情報を取得し、表示部１１に表示する（図示せず）制御を行うように構成されている。
【００３８】
次に、「特徴分析結果一覧」（図５参照）において、ユーザのリモコン４の操作によって、画質調整の項目が選択された時、ＣＰＵ１０は、表示部１１に「画質調整画面」（図６参照）を表示する制御を行うように構成されている。この「画質調整画面」では、ユーザのリモコン４の操作によって、選択された画質調整の設定を変更可能に選択ボタンが表示されるとともに、選択された画質調整の設定値に基づいて、画質調整を行う録画コンテンツが反復して再生表示されるように構成されている。この時、ユーザは、「特徴分析結果一覧」（図５参照）で表示された画質調整の項目の利点および欠点に基づいて、ユーザ自身の嗜好に合致するように画質を調整することができる。
【００３９】
次に、図６に示すように、「画質調整画面」において、ユーザのリモコン４の操作によって、「調整完了」が選択された時、ＣＰＵ１０は、フラッシュメモリ１２にユーザによって設定された画質調整の項目の設定値である画質調整値を記憶するとともに、表示部１１に、設定が変更された画質調整の項目の現在の設定値（画質調整値）が更新された「特徴分析結果一覧」（図５参照）を表示する制御を行うように構成されている。
【００４０】
次に、図５に示すように、「特徴分析結果一覧」において、ユーザのリモコン４の操作によって、「終了」が選択された時、ＣＰＵ１０は、表示部１１に、「画質調整モード終了画面」（図７参照）を表示する制御を行うように構成している。そして、「画質調整モード終了画面」において、ユーザのリモコン４の選択操作によって、終了が選択された場合、通常視聴画面（図示せず）を表示する制御を行うように構成されている。
【００４１】
次に、図８〜図１０を参照して、第１実施形態による表示システム１００の画質調整処理フローについて説明する。表示システム１００における処理は、ＣＰＵ１０により行われる。
【００４２】
まず、図８に示すように、ステップＳ１において、ユーザのリモコン４の操作によって、「画質調整モード」が選択されたか否かが判断される。「画質調整モード」が選択されるまで、この判断を繰り返し、「画質調整モード」が選択されると、ステップＳ２に進む。
【００４３】
次に、ステップＳ２において、表示部１１に、「録画コンテンツ一覧」（図２参照）が表示される。そして、ステップＳ３では、「録画コンテンツ一覧」のうち、ユーザのリモコン４の操作によって、「録画コンテンツ」が選択されたか否かが判断される。「録画コンテンツ」が選択された場合、ステップＳ５に進み、選択されない場合、ステップＳ４に進む。
【００４４】
そして、ステップＳ４において、「録画コンテンツ一覧」（図２参照）の画面表示中の「キャンセル」が選択されたか否かが判断される。「キャンセル」が選択された場合、ステップＳ３１（図１０参照）に進み、「キャンセル」が選択されない場合、ステップＳ３に戻る。
【００４５】
また、ステップＳ３において、「録画コンテンツ」が選択された場合、ステップＳ５において、表示部１１に、「分析対象期間設定画面」（図３参照）が表示される。そして、ステップＳ６に進んで、ユーザのリモコン４の操作によって、「分析対象期間設定」が完了されたかどうかが判断される。「分析対象期間設定」が完了された場合、ステップＳ８に進み、「分析対象期間設定」が完了されていない場合、ステップＳ７に進む。
【００４６】
そして、ステップＳ７において、「キャンセル」が選択されたかどうかが判断される。「キャンセルが選択された場合、ステップＳ３１に進み、「キャンセル」が選択されない場合、ステップＳ６に戻る。
【００４７】
また、ステップＳ８において、「分析対象期間設定値」が記憶される。具体的には、図３に示すように、分析対象スタート時間および分析対象エンド時間の情報が、フラッシュメモリ１２に記録される。その後、ステップＳ９に進む。
【００４８】
ここで、第１実施形態では、図４に示すように、ステップＳ９において、表示部１１に「特徴分析画面」が表示されるとともに、ステップＳ１０において、「分析対象コンテンツ」が再生表示される。その後、ステップＳ１１において、「特徴分析」が開始される。具体的には、選択された「録画コンテンツ」のうち、記録された「分析対象期間設定値」に基づいた映像について、映像の特徴の分析が開始される。
【００４９】
次に、ステップＳ１２において、表示部１１に表示されている「特徴分析画面」（図４参照）のうち、「分析対象期間変更」が選択されたかどうかが判断される。「分析対象期間変更」が選択された場合、ステップＳ１３に進み、「分析対象期間変更」が選択されない場合、ステップＳ１５に進む。
【００５０】
次に、ステップＳ１３において、「特徴分析」が停止される。そして、ステップＳ１４において、「分析対象コンテンツ」の再生表示が停止される。その後、ステップＳ５に戻る。すなわち、映像の特徴の分析を中断し、「分析対象期間設定画面」（図３参照）に戻るので、ユーザの操作に基づいて、分析対象期間を改めて設定することができる。
【００５１】
また、ステップＳ１２において、「分析対象期間変更」が選択されない場合、ステップＳ１５に進む。ステップＳ１５において「特徴分析」が終了し、「特徴分析結果」が取得される。そして、ステップＳ１６において「特徴分析結果」がフラッシュメモリ１２に記憶される。
【００５２】
次に、図９に示すように、ステップＳ１７において、「分析対象コンテンツ」が停止される。そして、ステップＳ１８において「特徴分析結果」に基づいて、フラッシュメモリ１２に記憶されている利点および欠点の表示内容を選択して、「特徴分析結果一覧」を作成する。その後、ステップＳ１９に進む。
【００５３】
ステップＳ１９において、「特徴分析結果一覧」をフラッシュメモリ１２に記憶させる。ここで、第１実施形態では、ステップＳ２０において、表示部１１に「特徴分析結果一覧」（図５参照）を表示させる。「特徴分析結果一覧」では、「特徴分析結果」に基づいて、画質調整の項目の利点および欠点が表示されているので、ユーザは後述する「画質調整値」の設定において、ユーザ自身の嗜好に合致するように画質を調整することができる。
【００５４】
また、ステップＳ２１において、表示部１１に表示されている「特徴分析結果一覧」（図５参照）のうち、「画質調整の項目」が選択されたか否かが判断される。「画質調整の項目」が選択された場合、ステップＳ２６に進み、「画質調整の項目」が選択されない場合、ステップＳ２２に進む。
【００５５】
ステップＳ２２において、表示部１１に表示されている「特徴分析結果一覧」（図５参照）のうち、「終了」が選択されたか否かが判断される。「終了」が選択された場合、ステップＳ３３（図１０参照）に進み、「終了」が選択されない場合、ステップＳ２３に進む。
【００５６】
ステップＳ２３において、表示部１１に表示されている「特徴分析結果一覧」（図５参照）のうち、「ＵＲＬ」が選択されたか否かが判断される。「ＵＲＬ」が選択された場合、ステップＳ２４に進む。また、「ＵＲＬ」が選択されない場合、ステップＳ２１に戻る。すなわち、ステップＳ２１〜Ｓ２３では、表示部１１に表示されている「特徴分析結果一覧」（図５参照）のうち、「画質調整の項目」と、「終了」と、「ＵＲＬ」とのいずれかが選択されたか否かが判断されるまで、このステップが繰り返される。
【００５７】
また、ステップＳ２４において、表示部１１に、インターネット上の情報が表示される（図示せず）。そして、ステップＳ２５において、ユーザのリモコン４の操作によって、情報表示の終了が選択されたかがどうかが判断される。情報表示の終了が選択された場合、ステップＳ２１に戻り、情報表示の終了が選択されない場合、ステップＳ２４に戻る。
【００５８】
ステップＳ２１において、「画質調整の項目」が選択された場合、ステップＳ２６に進む。ステップＳ２６において、表示部１１に、「画質調整画面」（図６参照）が表示される。この画面において、ユーザリモコン４の操作によって、画質調整値が変更される。ここで、ユーザは、「特徴分析結果一覧」（図５参照）で表示された画質調整の項目の利点および欠点に基づいて、ユーザ自身の嗜好に合致するように画質を調整することができる。その後、ステップＳ２７に進む。
【００５９】
そして、ステップＳ２７において、表示部１１に表示されている「画質調整画面」（図６参照）のうち、「調整完了」が選択された場合、ステップＳ２９に進む。また、「調整完了」が選択されない場合、ステップＳ２８に進む。
【００６０】
ステップＳ２８において、表示部１１に表示されている「画質調整画面」（図６参照）のうち、「戻る」が選択された場合、ステップＳ２０に戻る。また、「戻る」が選択されない場合、ステップＳ２７に戻る。
【００６１】
ステップＳ２７において、「調整完了」が選択された場合、ステップＳ２９に進む。ステップＳ２９において、ユーザのリモコン４の操作によって変更された「画質調整値」が、フラッシュメモリ１２に記憶される。その後、ステップＳ３０に進む。
【００６２】
そして、ステップＳ３０において、「特徴分析結果一覧」（図５参照）の画面に含まれる「現在の設定」の内容が、変更された「画質調整値」に基づいて更新される。そして、ステップＳ２０に戻り、内容が更新された「現在の設定」を含む「特徴分析結果一覧」が表示部１１に表示される。
【００６３】
ステップＳ２２において、表示部１１に表示されている「特徴分析結果一覧」（図５参照）のうち、「終了」が選択された場合、ステップＳ３３に進む。
【００６４】
次に、図１０に示すように、ステップＳ３３において、表示部１１に「画像調整モード終了画面」（図７参照）が表示される。そして、ステップＳ３４に進む。
【００６５】
ステップＳ３４において、「画質調整モード」が終了されたかどうかが判断される。「画質調整モード」が選択された場合、ステップＳ３５に進む。「画質調整モード」が選択されない場合、ステップＳ２０に戻る。
【００６６】
また、図８に示すように、ステップＳ４またはステップＳ７において、ユーザのリモコン４の操作によって、「キャンセル」が選択された場合、ステップＳ３１に進む。そして、図１０に示すように、ステップＳ３１において、表示部１１に「画像調整モード終了画面」（図７参照）が表示される。その後、ステップＳ３２に進む。
【００６７】
ステップＳ３２において、「画質調整モード」が終了されたかどうかが判断される。「画質調整モード」が選択された場合、ステップＳ３５に進む。「画質調整モード」が選択されない場合、ステップＳ２に戻る。
【００６８】
そして、ステップＳ３４またはステップＳ３２において、「画質調整モード」が終了された場合、ステップＳ３５に進む。ステップＳ３５において、「画質調整モード」を開始する前に、表示部１１に表示していた「通常視聴画面」の表示を行い、画質調整処理に関する制御は終了される。
【００６９】
第１実施形態では、以下のような効果を得ることができる。
【００７０】
第１実施形態では、上記のように、映像を表示する表示部１１と、表示部１１に表示される映像の画質調整の制御を行うＣＰＵ１０とを備え、ＣＰＵ１０を、映像の特徴を分析して分析結果を取得し、分析結果に基づいて、表示部１１に画質調整の項目に加えて画質調整の項目の利点および欠点を表示する制御を行うように構成する。これにより、ユーザは、分析結果に基づいた画質調整の項目の利点および欠点を認識することができる。そして、利点および欠点を認識したユーザの操作に基づいて、画質調整の項目が設定されるので、ユーザが意図した画質調整の制御を容易に行うことができる。
【００７１】
また、第１実施形態では、上記のように、映像を表示する表示部１１と、表示部１１に表示される映像の画質調整の制御を行うＣＰＵ１０とを備え、ＣＰＵ１０を、すでに録画された映像の特徴を分析して分析結果を取得し、分析結果に基づいて、表示部１１に画質調整の項目に加えて画質調整の項目の利点および欠点を表示する制御を行うように構成する。これにより、すでに録画された映像のうち、ユーザの嗜好に合致した映像について分析することができるので、ユーザがより意図した画質調整の制御を行うことができる。
【００７２】
また、第１実施形態では、上記のように、画質調整の項目は、複数の画質調整の項目を含み、ＣＰＵ１０を、すでに録画された映像の特徴を分析して分析結果を取得し、分析結果に基づいて、複数の画質調整の項目のうち、画質調整するのが好ましい少なくとも１つの画質調整の項目を選択して、選択した前記画質調整の項目の利点および欠点を表示部１１に表示する制御を行うように構成する。これにより、複数の画質調整の項目の中から、ユーザが画質調整の項目を選択する手間を省くことができるので、ユーザによる操作を簡略化することができる。
【００７３】
また、第１実施形態では、上記のように、ＣＰＵ１０を、ユーザの操作に基づいて、画質調整を行う画質調整モードに移行して、画質調整モードにおいて、表示部１１に、画質調整の項目と、画質調整の項目の利点および欠点とを表示するとともに、表示された画質調整の項目に対するユーザの操作に基づいて、画質調整の制御を行うように構成する。これにより、ユーザが画質を調整したい任意の時に操作を行うことにより、画質調整モードに移行することができるので、利便性の高い画質調整の設定を行うことができるテレビジョン装置１を提供することができる。
【００７４】
また、第１実施形態では、上記のように、ＣＰＵ１０を、画質調整モードにおいて、表示部１１に、すでに録画された映像のコンテンツを表示するとともに、表示された映像のコンテンツに対する、ユーザの選択操作に基づいて、録画された映像の特徴を分析して分析結果を取得する制御を行うように構成する。これにより、すでに録画された映像のコンテンツのうち、ユーザの嗜好に合致した映像について分析することができるので、ユーザがより意図した画質調整の制御を行うことができる。
【００７５】
また、第１実施形態では、上記のように、インターネット５との通信を行う通信部１７をさらに備え、ＣＰＵ１０を、分析結果に基づいて、利点および欠点を表示部１１に表示するとともに、ユーザの操作に基づいて、通信部１７を介して、インターネット５から利点および欠点に関するより詳細な情報を取得して、表示部１１に詳細な情報を表示する制御を行うように構成する。これにより、インターネット５から利点および欠点に関するより詳細な情報を取得することができるので、より正確に、ユーザが意図した画質調整の制御を行うことができる。
【００７６】
（第２実施形態）
次に、図１を参照して、第２実施形態による表示システム１０１の構成ついて説明する。第２実施形態では、すでに録画された映像の特徴を分析して分析結果を取得するように構成されていた、第１実施形態の表示システム１００と異なり、録画中の映像の特徴を分析して分析結果を取得するように構成されている。
【００７７】
第２実施形態では、図１に示すように、表示システム１０１は、ＣＰＵ１０ａを有するテレビジョン装置１ａを含む。
【００７８】
第２実施形態では、ＣＰＵ１０ａは、ブルーレイディスクレコーダ２に録画中の映像の特徴を分析して分析結果を取得し、分析結果に基づいて、表示部１１に画質調整の項目を表示するとともに、画質調整の項目の利点および欠点を表示部１１に表示する制御を行うように構成されている。具体的には、ＣＰＵ１０ａは、アンテナ１５を介して放送受信部１６に受信した映像を、接続ケーブル３を介してブルーレイディスクレコーダ２に送信するとともに、送信して録画中の映像の特徴を分析して分析結果を取得する制御を行うように構成されている。そして、ＣＰＵ１０ａは、ブルーレイディスクレコーダ２に受信した放送信号をブルーレイディスクレコーダ２内に録画保存させる制御を行うように構成されている。また、取得した分析結果は、フラッシュメモリ１２に記録する制御を行うように構成されている。
【００７９】
そして、第２実施形態では、ＣＰＵ１０ａは、ユーザのリモコン４の操作によって、画像調整モードに移行した後、フラッシュメモリ１２に記録された映像の特徴の分析結果に基づいて、画質調整の項目の利点および欠点を表示部１１に表示する制御を行うように構成されている。
【００８０】
また、第２実施形態による表示システム１０１のその他の構成は、第１実施形態における表示システム１００と同様である。
【００８１】
次に、図１１を参照して、第２実施形態による表示システム１０１の録画処理フローについて説明する。表示システム１０１における処理は、ＣＰＵ１０ａにより行われる。
【００８２】
まず、ステップＳ１００において、「録画」が開始される。具体的には、アンテナ１５を介して放送受信部１６に受信した映像を、接続ケーブル３を介してブルーレイディスクレコーダ２に送信する。そして、ＣＰＵ１０ａは、ブルーレイディスクレコーダ２に受信した映像をブルーレイディスクレコーダ２内に録画させる制御を行う。
【００８３】
次に、第２実施形態では、ステップＳ１０１において、「特徴分析」が実施される。具体的には、テレビジョン装置１ａから送信され、ブルーレイディスクレコーダ２に録画中の映像の特徴について、分析がされる。「特徴分析」が終了すると、ステップＳ１０２へ進む。
【００８４】
ステップＳ１０２において、「特徴分析結果」の記録がされる。具体的には、「特徴分析」によって取得された「特徴分析結果」をフラッシュメモリ１２に記録する。その後、ステップＳ１０３に進む。
【００８５】
次に、ステップＳ１０３において、「録画」が停止される。具体的には、ブルーレイディスクレコーダ２への映像の送信を停止して、ブルーレイディスクレコーダ２への映像の録画を停止する。そして、録画処理に関する制御は終了される。
【００８６】
次に、図１２および図１３を参照して、第２実施形態による表示システム１０１の画質調整処理フローについて説明する。表示システム１０１における処理は、ＣＰＵ１０ａにより行われる。
【００８７】
まず、図１２に示すように、ステップＳ１〜Ｓ４においては、第１実施形態におけるステップＳ１〜Ｓ４と同様に制御される。
【００８８】
ここで、第２実施形態では、ステップＳ３において、「録画コンテンツ」が選択された場合、ステップＳ２００に進む。ステップＳ２００において、「特徴分析結果」の読み出しが行われる。具体的には、上記録画処理フロー中（録画中）のステップＳ１０２で行われた、フラッシュメモリ１２へ記録された「特徴分析結果」をフラッシュメモリ１２より読み出す。その後、ステップＳ１８に進む。
【００８９】
次に、図１２および図１３に示すように、ステップＳ１８〜Ｓ３５においては、第１実施形態におけるステップＳ１８〜Ｓ３５と同様に制御され、第２実施形態における画質調整処理フローの制御は終了される。
【００９０】
第２実施形態では、以下のような効果を得ることができる。
【００９１】
第２実施形態では、上記のように、映像を表示する表示部１１と、表示部１１に表示される映像の画質調整の制御を行うＣＰＵ１０ａとを備え、ＣＰＵ１０ａを、録画中の映像の特徴を分析して分析結果を取得し、分析結果に基づいて、表示部１１に画質調整の項目に加えて画質調整の項目の利点および欠点を表示する制御を行うように構成する。これにより、ユーザは、分析結果に基づいた画質調整の項目の利点および欠点を認識することができる。そして、利点および欠点を認識したユーザの操作に基づいて、画質調整の項目が設定されるので、ユーザが意図した画質調整の制御を容易に行うことができる。
【００９２】
また、第２実施形態では、上記のように、画質調整の項目は、複数の画質調整の項目を含み、ＣＰＵ１０ａを、録画中の映像の特徴を分析して分析結果を取得し、分析結果に基づいて、複数の画質調整の項目のうち、画質調整するのが好ましい少なくとも１つの画質調整の項目を選択して、選択した前記画質調整の項目の利点および欠点を表示部１１に表示する制御を行うように構成する。これにより、複数の画質調整の項目の中から、ユーザが画質調整の項目を選択する手間を省くことができるので、ユーザによる操作を簡略化することができる。
【００９３】
また、第２実施形態では、上記のように、ＣＰＵ１０ａを、ブルーレイディスクレコーダ２に録画中の映像の特徴を分析して分析結果を取得し、分析結果に基づいて、表示部１１に画質調整の項目を表示するとともに、画質調整の項目の利点および欠点を表示部１１に表示する制御を行うように構成する。これにより、ブルーレイディスクレコーダ２へ録画中に映像の特徴を分析して分析結果を取得するので、映像の録画後、直ちに、ユーザの操作に基づいて、画質調整をすることができる。
【００９４】
また、第２実施形態による表示システム１０１のその他の効果は、第１実施形態における表示システム１００と同様である。
【００９５】
（第３実施形態）
次に、図１を参照して、第３実施形態による表示システム１０２の構成ついて説明する。第３実施形態では、ＣＰＵ１０は、ユーザのリモコン４の操作によって、画質調整モードに移行する制御を行うように構成されていた、第１実施形態の表示システム１００と異なり、録画された映像を表示部１１に再生表示する時に、画質調整モードに移行するか否かの問い合わせを表示部１１に表示し、問い合わせに基づいたユーザのリモコン４の操作によって、画質調整モードに移行する制御を行うように構成されている。
【００９６】
第３実施形態では、図１に示すように、表示システム１０２は、ＣＰＵ１０ｂを有するテレビジョン装置１ｂを含む。
【００９７】
第３実施形態では、ＣＰＵ１０ｂは、録画された映像を表示部１１に再生表示する時に、分析結果に基づいた画質調整の項目と画質調整の項目の利点および欠点とを表示部１１に表示するか否かの問い合わせを表示する制御を行うように構成されている。具体的には、図２に示すように、ＣＰＵ１０ｂは、ユーザのリモコン４の操作によって、録画コンテンツ再生モードに移行する制御を行うように構成されている。そして、ＣＰＵ１０ｂは、「録画コンテンツ一覧」（図２参照）の画面を表示部１１に表示する制御を行うように構成されている。「録画コンテンツ一覧」のうち、録画コンテンツはそれぞれ、ユーザのリモコン４の操作によって、選択可能に構成されている。そして、ＣＰＵ１０ｂは、ユーザのリモコン４の操作によって、録画コンテンツが選択された場合、図１４に示すように、表示部１１に、「画像調整モード」を実行するか否かの問い合わせを表示する制御を行うように構成されている。すなわち、ＣＰＵ１０ｂは、分析結果に基づいた画質調整の項目と画質調整の項目の利点および欠点とを表示部１１に表示するか否かの問い合わせを表示する制御を行うように構成されていることを意味する。なお、録画コンテンツ再生モードは、本発明の画質調整モードに含まれる。
【００９８】
そして、ＣＰＵ１０ｂは、「画像調整モード」を実行するか否かの問い合わせに対する、ユーザのリモコン４の操作によって、「画像調整モード」を実行することを選択された場合、「画像調整モード」を実行する制御を行うように構成されている。すなわち、この場合、ＣＰＵ１０ｂは、画質調整処理を開始するように構成されている。一方、「画像調整モード」を実行しないことを選択された場合、「画像調整モード」が実行する制御を行わないで、選択された録画コンテンツを表示部１１に再生表示する制御を行うように構成されている。
【００９９】
また、第３実施形態による表示システム１０２における「画質調整モード」の構成については、すでに録画された映像の特徴を分析して分析結果を取得するように構成されていた、第２実施形態と同様である。
【０１００】
また、第３実施形態による表示システム１０２のその他の構成は、第１実施形態における表示システム１００と同様である。
【０１０１】
次に、図１５および図１６を参照して、第３実施形態による表示システム１０２の画質調整処理フローについて説明する。表示システム１０２における処理は、ＣＰＵ１０ｂにより行われる。
【０１０２】
まず、図１５に示すように、ステップＳ３０１においては、ユーザのリモコン４の操作によって、「録画コンテンツ再生モード」が選択されたか否かが判断される。「録画コンテンツ再生モード」が選択された場合、ステップＳ３０２に進む。また、「録画コンテンツ再生モード」が選択されない場合、「録画コンテンツ再生モード」が選択されるまでこの判断が繰り返される。
【０１０３】
次に、ステップＳ３０２においては、「録画コンテンツ一覧」（図２参照）が表示部１１に表示される。その後、ステップＳ３０３に進む。
【０１０４】
そして、ステップＳ３０３においては、「録画コンテンツ一覧」（図２参照）のうち、ユーザのリモコン４の操作によって、選択可能に表示されている「録画コンテンツ」のいずれかが選択されたか否かが判断される。「録画コンテンツ」のいずれかが選択された場合、ステップＳ３０８に進む。また、「録画コンテンツ」のいずれも選択されない場合、ステップＳ３０４に進む。
【０１０５】
ステップＳ３０４においては、「録画コンテンツ一覧」（図２参照）のうち、ユーザのリモコン４の操作によって、選択可能に表示されている「キャンセル」が選択されたか否かが判断される。「キャンセル」が選択された場合、ステップＳ３０５に進む。また、「キャンセル」が選択されない場合、ステップＳ３０３に戻る。
【０１０６】
そして、ステップＳ３０５においては、録画コンテンツ再生モードを終了するか否かの「問い合わせ」の表示（図示せず）が表示部１１に表示される。そして、ステップＳ３０６に進む。
【０１０７】
また、ステップＳ３０６においては、録画コンテンツ再生モードを終了するか否かの「問い合わせ」の表示（図示せず）のうち、ユーザのリモコン４の操作によって、「録画コンテンツ再生モード」が終了されたか否かが判断される。「録画コンテンツ再生モード」が終了された場合、ステップＳ３０７に進み、「録画コンテンツ再生モード」が終了されない場合、ステップＳ３０２に戻る。
【０１０８】
ステップＳ３０３において、「録画コンテンツ」のいずれかが選択された場合、ステップＳ３０８に進む。ここで、第３実施形態では、図１４に示すように、「画質調整モード」の問い合わせの表示が表示部１１に表示される。そして、ステップＳ３０９に進む。
【０１０９】
ステップＳ３０９において、「画質調整モード」の問い合わせの表示（図１４参照）のうち、ユーザのリモコン４の操作によって、「画質調整モード」が実行されたか否かが判断される。「画質調整モード」が実行された場合、ステップＳ２００に進み、「画質調整モード」が実行されない場合、ステップＳ３１０（図１６参照）に進む。
【０１１０】
そして、ステップＳ２００における処理については、第２実施形態におけるステップＳ２００と同様の処理が行なわれる。その後、ステップＳ１８に進む。また、ステップＳ１８〜Ｓ３０における処理については、第１実施形態におけるステップＳ１８〜Ｓ３０と同様の処理が行なわれる。また、図１４に示すように、ステップＳ２２において、「終了」が選択された場合、ステップＳ３３に進む（図１５参照）。ステップＳ３３およびステップＳ３４における処理については、第１実施形態におけるステップＳ３３およびステップＳ３４と同様の処理が行われる。
【０１１１】
次に、ステップＳ３４において、「画像調整モード」が終了された場合、ステップＳ３１０に進み、「録画コンテンツ再生モード」が終了されない場合、ステップＳ２０に戻る。
【０１１２】
そして、第３実施形態では、ステップＳ３１０において、「録画コンテンツ」が表示部１１に再生表示される。その後、ステップＳ３１１において、「録画コンテンツ」の再生が終了して、「録画コンテンツ」の停止が行われる。そして、ステップＳ３０２に戻る。
【０１１３】
また、ステップＳ３０６において、「録画コンテンツ再生モード」が終了された場合、ステップＳ３０７に進む。ステップＳ３０７においては、「通常視聴画面」を表示部１１が表示される。そして、第３実施における画質調整処理フローの制御が終了される。
【０１１４】
第３実施形態では、以下のような効果を得ることができる。
【０１１５】
第３実施形態では、上記のように、ＣＰＵ１０ｂを、録画された映像を表示部１１に再生表示する時に、分析結果に基づいた画質調整の項目と画質調整の項目の利点および欠点とを表示部１１に表示するか否かの問い合わせを表示する制御を行うように構成する。これにより、録画された映像を表示部１１に再生表示する以前に、画質調整がされていない場合でも、再生表示するタイミングでユーザの操作に基づいて、ユーザが意図した画質調整の制御を行うことができる。
【０１１６】
また、第３実施形態による表示システム１０２のその他の効果は、第１実施形態における表示システム１００と同様である。
【０１１７】
（第４実施形態）
次に、図１を参照して、第４実施形態による表示システム１０３の構成ついて説明する。第４実施形態では、すでに録画された映像の特徴を分析して分析結果を取得するように構成されていた、第１実施形態の表示システム１００と異なり、放送信号の映像またはインターネット５上の映像を表示部１１に表示しながら、放送信号の映像またはインターネット５上の映像を録画するとともに、録画中の映像の特徴を分析して分析結果を取得するように構成されている。
【０１１８】
第４実施形態では、図１に示すように、表示システム１０３は、ＣＰＵ１０ｃを有すテレビジョン装置１ｃを含む。また、テレビジョン装置１ｃは、通信部１７ａを介して、インターネット５上の映像を受信可能に構成されている。
【０１１９】
また、第４実施形態では、ＣＰＵ１０ｃは、放送信号の映像またはインターネット５上の映像を表示部１１に表示しながら、ユーザのリモコン４の操作によって、放送信号の映像またはインターネット５上の映像を録画するとともに、録画中の映像の特徴を分析して分析結果を取得するように構成されている。具体的には、ＣＰＵ１０ｃは、表示部１１に「通常視聴画面」を表示している場合に、アンテナ１５を介してテレビジョン装置１ｃに受信した映像、または、通信部１７ａを介してインターネット５上よりテレビジョン装置１ｃに受信した映像を、接続ケーブル３を介してブルーレイディスクレコーダ２に送信する制御を行うように構成されている。そして、ＣＰＵ１０ｃは、ブルーレイディスクレコーダ２に送信した映像をブルーレイディスクレコーダ２に録画させるとともに、ユーザのリモコン４の操作によって、画質調整モードに移行する制御を行うように構成されている。
【０１２０】
そして、第４実施形態では、図１７に示すように、ＣＰＵ１０ｃは、画質調整モードに移行した後、「特徴分析画面」を表示部１１に表示するとともに、録画中の映像の特徴を分析する制御を行うように構成されている。そして、ＣＰＵ１０ｃは、「特徴分析画面」では、放送信号の映像またはインターネット５上の映像と、ユーザのリモコン４の選択操作によって、特徴分析を終了する「特徴分析終了」ボタンとを表示部１１に表示する制御を行うように構成されている。ＣＰＵ１０ｃは、ユーザのリモコン４の操作によって、「特徴分析終了」ボタンが選択されると、録画中の映像の特徴の分析を終了し、分析特徴結果を取得する制御を行うように構成されている。そして、ＣＰＵ１０ｃは、「録画」の停止が行われた後、「特徴分析結果」の読み出しを行うように構成されている。
【０１２１】
また、第４実施形態による表示システム１０３のその他の構成は、録画中の映像の特徴を分析して分析結果を取得するように構成されている第２実施形態における表示システム１０１と同様である。
【０１２２】
次に、図１８および図１９を参照して、第４実施形態による表示システム１０３の画質調整処理フローについて説明する。表示システム１０３における処理は、ＣＰＵ１０ｃにより行われる。
【０１２３】
まず、ステップＳ４００において、「通常視聴画面」が表示部１１に表示される。次に、ステップＳ４０１において、「画質調整モード」が選択されたか否かが判断される。ユーザのリモコン４の操作によって、「画質調整モード」が選択されるまでこの処理は繰り返し、「画質調整モード」が選択された場合、ステップＳ４０２に進む。
【０１２４】
次に、ステップＳ４０２において、「画質調整モード」の問い合わせの表示が表示部１１に表示される。そして、ステップＳ４０３において、「画質調整モード」が実行されたか否かが判断される。「画質調整モード」が実行されない場合、ステップＳ３５（図１９参照）に進む。また、「画質調整モード」が実行された場合、ステップＳ４０４に進む。
【０１２５】
ここで、第４実施形態では、ステップＳ４０４において、表示部１１に「特徴分析画面」（図１７参照）が表示される。「特徴分析画面」が表示された後、ステップＳ４０５に進む。ステップＳ４０５において、「録画」が開始される。具体的には、放送信号の映像またはインターネット５上の映像をブルーレイディスクレコーダ２に録画する。そして、ステップＳ４０６に進む。
【０１２６】
次に、ステップＳ４０６において、「特徴分析」が開始される。具体的には、ブルーレイディスクレコーダ２に録画中の映像の特徴の分析が行われる。そして、ステップＳ４０７に進む。
【０１２７】
次に、ステップＳ４０７において、「特徴分析終了」が選択されたか否かが判断される。具体的には、「特徴分析画面」（図１７参照）を表示部１１に表示中に、ユーザのリモコン４の操作によって、「特徴分析終了」ボタンが選択された場合、ステップＳ４０８に進み、「特徴分析終了」ボタンが選択されない場合、「特徴分析終了」ボタンが選択されるまで、この判断が繰り返される。
【０１２８】
次に、ステップＳ４０８において、「特徴分析」が停止され、停止された後、ステップＳ４０９に進む。ステップＳ４０９において、「特徴分析結果」を取得し、「特徴分析結果」を取得した後、ステップＳ４１０に進む。
【０１２９】
そして、ステップＳ４１０において、「特徴分析結果」の記憶が行われる。具体的には、ステップＳ４０９で取得した「特徴分析結果」をフラッシュメモリ１２に記憶する。「特徴分析結果」をフラッシュメモリ１２に記憶した後、ステップＳ４１１に進む。
【０１３０】
次に、ステップＳ４１１において、「録画」の停止が行われる。「録画」の停止が行われた後、ステップＳ２００に進む。
【０１３１】
そして、図１８に示すように、ステップＳ２００においては、第２実施形態におけるステップＳ２００と同様に制御され、ステップＳ２００の後、ステップＳ１８に進む。図１８および図１９に示すように、ステップＳ１８〜Ｓ３０およびステップＳ３３〜Ｓ３５においては、第１実施形態におけるステップＳ１８〜Ｓ３０およびステップＳ３３〜Ｓ３５と同様に制御され、第４実施形態における画質調整処理フローの制御は終了される。
【０１３２】
第４実施形態では、以下のような効果を得ることができる。
【０１３３】
第４実施形態では、上記のように、ＣＰＵ１０ｃを、放送信号の映像またはインターネット５上の映像を表示部１１に表示しながら、ユーザのリモコン４の操作によって、放送信号の映像またはインターネット５上の映像を録画するとともに、録画中の映像の特徴を分析して分析結果を取得するように構成する。これにより、ユーザのリモコン４の操作によって、ユーザが視聴中の映像の特徴を分析して分析結果を取得するので、ユーザの嗜好に合致した映像の特徴の分析を直ちに行うことができる。
【０１３４】
また、第４実施形態による表示システム１０３のその他の効果は、第１実施形態における表示システム１００と同様である。
【０１３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１３６】
たとえば、第１〜第４実施形態では、映像をブルーレイディスクレコーダに録画する例を示したが、本発明はこれに限られない。本発明では、テレビジョン装置に記憶部を設けて、テレビジョン装置の記憶部に映像を録画してもよい。
【０１３７】
また、第１〜第４実施形態では、すでに録画された映像として、ブルーレイディスクレコーダに録画された映像を用いる例を示したが、本発明はこれに限られない。本発明では、ブルーレイディスクレコーダで再生可能な外部のブルーレイディスク等に記録された映像を用いてもよい。たとえば、外部のブルーレイディスク等に記録された映像について特徴の分析を行い、分析結果をテレビジョン装置内のフラッシュメモリに記録するように構成してもよい。
【０１３８】
また、第１〜第４実施形態では、ユーザによる操作方法として、リモコンを用いる例を示したが、本発明はこれに限られない。本発明では、テレビジョン装置本体に操作部を設けて、ユーザにより操作部を操作することによって、テレビジョン装置を操作してもよい。
【０１３９】
また、第１〜第４実施形態では、「画質調整画面」として、選択された画質調整の設定値に基づいて、画質調整を行う１つの映像が反復して再生表示されるように構成する例を示したが、本発明はこれに限られない。本発明では、図２０の変形例に示すように、表示部の画面に４つの映像を表示するように構成してもよいし、２つの映像を表示するように構成してもよい。また、さらに多くの映像を表示するように構成してもよい。たとえば、図２０の変形例では、４つの映像を表示する場合、選択された画質調整の機能を「オフ」（図２０左上参照）とした映像と、選択された画質調整の機能を「最小」（図２０左下参照）とした映像と、選択された画質調整の機能を「中」（図２０右上参照）とした映像と、選択された画質調整の機能を「最大」（図２０右下参照）とした映像とを表示する制御を行うように構成する。すなわち、画質補正効果を比較するための画面（画質補正効果比較表示）として表示するように構成する。また、２つの映像を表示する場合、選択された画質調整の機能を「オフ」とした映像を左側に表示し（図示せず）、選択された画質調整の機能を調整するための映像を右側に表示（図示せず）するように構成する。
【０１４０】
また、第１〜第４実施形態では、インターネット上の情報として、メーカホームページの例を示したが、本発明はこれに限られない。本発明では、メーカホームページ以外のインターネット上の情報でもよい。
【０１４１】
また、第１〜第４実施形態では、分析結果に基づいて、複数の画質調整の項目のうち、画質調整するのが好ましい５つの画質調整の項目を表示する例を示したが、本発明はこれに限られない。本発明では、画質調整するのが好ましい画質調整の項目に限らないで、複数の画質調整の項目のすべてを表示するように構成してもよい。
【０１４２】
また、第１〜第４実施形態では、録画中の映像、または、すでに録画された映像の特徴を分析して分析結果を取得する例を示したが、本発明はこれに限られない。本発明では、表示部に画面表示中の映像の特徴を分析して分析結果を取得する構成にしてもよい。たとえば、録画しないで表示部に画面表示中の映像の特徴を分析して分析結果を取得した後、分析結果に基づいて、表示部に画質調整の項目に加えて画質調整の項目の利点および欠点を表示する制御を行うように構成してもよい。
【０１４３】
また、第１〜第４実施形態を個別に構成する例を示したが、本発明はこれに限られない。本発明では、第１〜第４実施形態を組み合わせた構成にしてもよい。たとえば、第３実施形態における、問い合わせの表示をする制御を行った後、第１実施形態における、すでに録画された映像の特徴を分析して分析結果を取得し、分析結果に基づいて、表示部に画質調整の項目に加えて画質調整の項目の利点および欠点を表示する制御を行うように構成してもよい。
【０１４４】
また、第１〜第４実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１４５】
１、１ａ、１ｂ、１ｃ  テレビジョン装置（表示装置）
２  ブルーレイディスクレコーダ（外部映像記憶装置、録画再生装置）
５  インターネット（外部のネットワーク）
１０、１０ａ、１０ｂ、１０ｃ  ＣＰＵ（制御部）
１１  表示部
１７、１７ａ  通信部
１００、１０１、１０２、１０３  表示システム
【図１】
2015076779.tif 000003
【図２】
2015076779.tif 000004
【図３】
2015076779.tif 000005
【図４】
2015076779.tif 000006
【図５】
2015076779.tif 000007
【図６】
2015076779.tif 000008
【図７】
2015076779.tif 000009
【図８】
2015076779.tif 000010
【図９】
2015076779.tif 000011
【図１０】
2015076779.tif 000012
【図１１】
2015076779.tif 000013
【図１２】
2015076779.tif 000014
【図１３】
2015076779.tif 000015
【図１４】
2015076779.tif 000016
【図１５】
2015076779.tif 000017
【図１６】
2015076779.tif 000018
【図１７】
2015076779.tif 000019
【図１８】
2015076779.tif 000020
【図１９】
2015076779.tif 000021
【図２０】
2015076779.tif 000022